(57)【要約】   【課題】    梁を仮受けしながら該梁の補強を支障なく行う。  【解決手段】本発明に係る梁の仮受け治具１は、第１の基部である基板２と、第２の基部である基板３と、基板２に立設された雌ネジ部材４と、基板３に立設された挿通部材５と、該挿通部材に挿通される貫通ロッド６とから概ね構成してある。基板２，３は、互いに対向配置された一対の鉛直支持架台７，７の頂部にボルト８で着脱自在にそれぞれ取り付けられるようになっている。雌ネジ部材４は、中空内部をねじ切りした中空管を二枚のプレートで支持するように構成してあるとともに、貫通ロッド６の先端に形成された雄ネジ９を螺合するようになっている。挿通部材５も雌ネジ部材４とほぼ同様、貫通ロッド６が挿通できる内径を持った中空管を二枚のプレートで支持するように構成してある。  【選択図】  図１
2005240447.tif 000002
【特許請求の範囲】
【請求項１】
互いに対向配置された一対の鉛直支持架台の頂部に着脱自在にそれぞれ取り付けられる第１の基部及び第２の基部と、該第１の基部に立設された雌ネジ部材と、前記第２の基部に立設された挿通部材と、該挿通部材に挿通される貫通ロッドとからなり、前記貫通ロッドの先端に前記雌ネジ部材に螺合される雄ネジを形成するとともに基端側に把持手段を設けたことを特徴とする梁の仮受け治具。
【請求項２】
二股分岐状の支持部材と、該支持部材のうち、二股分岐された一方の先端に設けられた雌ネジ部材と、他方の先端に設けられた挿通部材と、該挿通部材に挿通される貫通ロッドとからなり、前記支持部材の底部下面に鉛直支持架台の頂部に着脱自在に取り付けられる基部を固定するとともに、前記貫通ロッドの先端に前記雌ネジ部材に螺合される雄ネジを形成し基端側に把持手段を設けたことを特徴とする梁の仮受け治具。
【請求項３】
互いに対向配置された一対の鉛直支持架台と、該各鉛直支持架台の頂部にそれぞれ立設された雌ネジ部材及び挿通部材と、該挿通部材に挿通される貫通ロッドとからなり、前記貫通ロッドの先端に前記雌ネジ部材に螺合される雄ネジを形成するとともに基端側に把持手段を設けたことを特徴とする梁の仮受け装置。
【請求項４】
鉛直支持架台と、二股分岐状の支持部材と、該支持部材のうち、二股分岐された一方の先端に設けられた雌ネジ部材と、他方の先端に設けられた挿通部材と、該挿通部材に挿通される貫通ロッドとからなり、前記支持部材の底部下面を鉛直支持架台の頂部に固定するとともに、前記貫通ロッドの先端に前記雌ネジ部材に螺合される雄ネジを形成するとともに基端側に把持手段を設けたことを特徴とする梁の仮受け装置。
【発明の詳細な説明】
【技術分野】
【０００１】
本発明は、主として木造建築物の梁補強を行う際に用いられる梁の仮受け治具及びそれを用いた仮受け装置に関する。
【背景技術】
【０００２】
住宅においては、家族構成の変動や生活指向の変化等に伴い、新築当時の間取りを変更して下階に広い空間を確保したいというニーズが生じる。
【０００３】
かかるニーズに応えるためには、居室の中央付近や隣接居室の境界に立設されている柱や壁を撤去するリフォーム工事を行うことになるが、この場合、柱等を撤去しただけでは該柱で支持されていた梁が下方に撓んでしまう。そのため、梁の剛性を高めるための補強工事を同時に行うことが不可欠となる。
【０００４】
【特許文献１】特開平６−９９４１２
【発明の開示】
【発明が解決しようとする課題】
【０００５】
ここで、柱や壁を先に撤去してしまうと、梁が撓んでしまうため、何らかの方法で梁を仮受けして柱に鉛直荷重が作用しないようにし、しかる後、柱の撤去を行うが一般的である。
【０００６】
しかしながら、梁を仮受けしてから柱や壁を撤去する方法が未だ開発されていないのが実際のところであり、たとえ仮受けする手段があったとしても、梁の補強を行っている間、梁の仮受けのための部材等が邪魔になって梁の補強ができない場合が多いという問題を生じていた。また、それを避けるため、周囲の小梁や根太を支えることで間接的に梁を仮受けせざるを得なくなり、安全の面で改善の余地があった。
【課題を解決するための手段】
【０００７】
本発明は、上述した事情を考慮してなされたもので、梁を仮受けしながら該梁の補強を支障なく行うことが可能な梁の仮受け治具及びそれを用いた仮受け装置を提供することを目的とする。
【０００８】
上記目的を達成するため、本発明に係る梁の仮受け治具は請求項１に記載したように、互いに対向配置された一対の鉛直支持架台の頂部に着脱自在にそれぞれ取り付けられる第１の基部及び第２の基部と、該第１の基部に立設された雌ネジ部材と、前記第２の基部に立設された挿通部材と、該挿通部材に挿通される貫通ロッドとからなり、前記貫通ロッドの先端に前記雌ネジ部材に螺合される雄ネジを形成するとともに基端側に把持手段を設けたものである。
【０００９】
また、本発明に係る梁の仮受け治具は請求項２に記載したように、二股分岐状の支持部材と、該支持部材のうち、二股分岐された一方の先端に設けられた雌ネジ部材と、他方の先端に設けられた挿通部材と、該挿通部材に挿通される貫通ロッドとからなり、前記支持部材の底部下面に鉛直支持架台の頂部に着脱自在に取り付けられる基部を固定するとともに、前記貫通ロッドの先端に前記雌ネジ部材に螺合される雄ネジを形成し基端側に把持手段を設けたものである。
【００１０】
また、本発明に係る梁の仮受け装置は請求項３に記載したように、互いに対向配置された一対の鉛直支持架台と、該各鉛直支持架台の頂部にそれぞれ立設された雌ネジ部材及び挿通部材と、該挿通部材に挿通される貫通ロッドとからなり、前記貫通ロッドの先端に前記雌ネジ部材に螺合される雄ネジを形成するとともに基端側に把持手段を設けたものである。
【００１１】
また、本発明に係る梁の仮受け装置は請求項４に記載したように、鉛直支持架台と、二股分岐状の支持部材と、該支持部材のうち、二股分岐された一方の先端に設けられた雌ネジ部材と、他方の先端に設けられた挿通部材と、該挿通部材に挿通される貫通ロッドとからなり、前記支持部材の底部下面を鉛直支持架台の頂部に固定するとともに、前記貫通ロッドの先端に前記雌ネジ部材に螺合される雄ネジを形成するとともに基端側に把持手段を設けたものである。
【００１２】
本発明に係る梁の仮受け治具及びそれを用いた仮受け装置においては、貫通ロッドを挿通部材に挿通した上、予め水平に穿孔された梁の挿通孔に通し、しかる後、貫通ロッドを回転させることで該貫通ロッドの先端に形成された雄ネジを雌ネジ部材に螺合する。
【００１３】
このようにすると、梁は、貫通ロッド、雌ネジ部材及び挿通部材を介して鉛直支持架台で支持され、しっかりと仮受けされることとなるが、かかる梁を補強するにあたり、梁の下面については補強を妨げるものは何もなく、梁の側面でさえ、貫通ロッドを避ければ、所望の状態に補強することが可能となる。
【００１４】
把持手段は、貫通ロッドを回転させて雌ネジ部材にねじ込むときに手で持って回すことができるように構成する。把持手段をどのように構成するかは任意であるが、これを例えばアームやハンドルレバーで構成すれば、梁補強工事の間、貫通ロッドが梁から抜け落ちるのを防止するストッパーとして機能させることができる。
【発明を実施するための最良の形態】
【００１５】
以下、本発明に係る梁の仮受け治具及びそれを用いた仮受け装置の実施の形態について、添付図面を参照して説明する。なお、従来技術と実質的に同一の部品等については同一の符号を付してその説明を省略する。
【００１６】
（第１実施形態）
【００１７】
図１は、本実施形態に係る梁の仮受け治具を示した分解斜視図である。同図でわかるように、本実施形態に係る梁の仮受け治具１は、第１の基部である基板２と、第２の基部である基板３と、基板２に立設された雌ネジ部材４と、基板３に立設された挿通部材５と、該挿通部材に挿通される貫通ロッド６とから概ね構成してある。
【００１８】
基板２，３は、互いに対向配置された一対の鉛直支持架台７，７の頂部にボルト８で着脱自在にそれぞれ取り付けられるようになっており、鉛直支持架台７，７は、例えばリフォーム工事を行う居室の床（図示せず）に立設するようにすればよい。
【００１９】
雌ネジ部材４は、中空内部をねじ切りした中空管をトラス状に配置された二枚のプレートで支持するように構成してあり、貫通ロッド６の先端に形成された雄ネジ９を螺合するようになっている。
【００２０】
挿通部材５も雌ネジ部材４とほぼ同様、貫通ロッド６が挿通できる内径を持った中空管をトラス状に配置された二枚のプレートで支持するように構成してある。
【００２１】
一方、貫通ロッド６の基端側には把持手段としてのアーム１０を設けてあり、該アームを両手で握って回すことで貫通ロッド６を材軸回りに回転させることができるようになっている。
【００２２】
本実施形態に係る梁の仮受け治具１を用いて図１及び図２に示す梁１１の補強を行うには、まず、鉛直支持架台７，７を梁１１の両脇に立設するとともに、該鉛直支持架台の頂部にボルト８で基板２，３をそれぞれ取り付ける。
【００２３】
かかる作業と相前後して、貫通ロッド６を挿通することができる程度の径をもつ挿通孔１２を梁１１に予め穿孔しておく。
【００２４】
次に、貫通ロッド６を挿通部材５に挿通した上、梁１１の挿通孔１２に通し、しかる後、アーム１０を手で持って回すことで貫通ロッド６を回転させ、該貫通ロッドの先端に形成された雄ネジ９を雌ネジ部材４に螺合する。
【００２５】
このようにすると、梁１１は、貫通ロッド６、雌ネジ部材４及び挿通部材５を介して鉛直支持架台７，７で支持され、しっかりと仮受けされることとなるので、かかる状態で梁１１を支持していた柱（図示せず）を撤去する。
【００２６】
梁の仮受け治具１の設置間隔は、梁１１に作用する上載荷重やスパン長にもよるが、例えば数ｍピッチで配置するようにすればよい。通常の木造住宅であれば、梁１１の中央近傍のみ、仮受けすれば足りる。なお、必要に応じて鉛直支持架台７，７の脚部に設けられたジャッキベースを調整すれば、仮受け高さを適正に保持することができる。
【００２７】
柱を撤去した後、梁の仮受け治具１で仮受けした状態で梁１１を補強することになるが、かかる梁１１を補強するにあたり、該梁の下面については補強を妨げるものは何もなく、梁１１の側面でさえ、貫通ロッド６を避ければ、所望の状態に補強することが可能となる。
【００２８】
図２は、梁１１の下面に補強梁２１を取り付けた例を示したものであり、上述したように、梁１１への取付けにあたり、該梁を仮受けしたことによる干渉は一切生じない。
【００２９】
ちなみに、補強梁２１は、ボルト、ラグスクリュー等で梁１１に取り付けるようにしてもかまわないが、このようなメカニカルな取付けでは、梁１１との一体化は難しく、曲げ剛性の向上には限度がある。
【００３０】
そのため、補強梁２１と梁１１とは接着剤による取付けが好ましい。このようにすれば、補強梁２１と梁１１とは強固に接合されて合成梁となり、曲げ剛性が大幅に向上する。
【００３１】
使用する接着剤としては、市販されている任意の接着剤から適宜選択することが可能であり、例えば日本シーカ株式会社から「シーカデュア３０」の商品名で市販されている二液混合型エポキシ樹脂接着剤を使用することができる。かかる接着剤は、粘性が高く液だれしないので作業性がよい、冬期以外であれば３日で最終強度の９０％程度まで強度が発現する、混練ラティチュードが広いので多少の混練不足でも不具合は生じない等の長所がある。
【００３２】
以上説明したように、本実施形態に係る梁の仮受け治具１によれば、仮受けされる梁１１が貫通ロッド６、雌ネジ部材４、挿通部材５及び鉛直支持架台７，７を介してしっかりと支持されるとともに、かかる梁１１を補強するにあたり、該梁の下面については補強を妨げるものは何もなく、梁１１の側面でさえ、貫通ロッド６を避ければ、所望の状態に補強することが可能となる。
【００３３】
また、本実施形態に係る梁の仮受け治具１によれば、梁１１を直接的に仮受けすることが可能となり、周囲の小梁や根太を支えることで間接的に梁を仮受けしていた従来に比べ、安全性が格段に向上する。
【００３４】
本実施形態では、基板２，３を介して雌ネジ部材４、挿通部材５をそれぞれ鉛直支持架台７，７の頂部に着脱自在にそれぞれ取り付けるようにしたが、かかる基板２，３を省略し、鉛直支持架台７，７に直接、雌ネジ部材４、挿通部材５を取り付けるようにしてもかまわない。
【００３５】
かかる変形例においては、互いに対向配置された一対の鉛直支持架台７，７と、該各鉛直支持架台の頂部にそれぞれ立設された雌ネジ部材４及び挿通部材６と、該挿通部材に挿通される貫通ロッド６とからなり、貫通ロッド６の先端に雌ネジ部材４に螺合される雄ネジ９を形成するとともに基端側に把持手段であるアーム１０を設けた構成となり、いわば梁の仮受け装置となる。
【００３６】
（第２実施形態）
【００３７】
次に、第２実施形態について説明する。なお、第１実施形態と実質的に同一の部品等については同一の符号を付してその説明を省略する。
【００３８】
図３は、本実施形態に係る梁の仮受け治具を示した分解斜視図である。同図でわかるように、本実施形態に係る梁の仮受け治具３１は、プレート３２に立設された雌ネジ部材４と、プレート３３に立設された挿通部材５と、該挿通部材に挿通される貫通ロッド６とから概ね構成してある。
【００３９】
ここで、本実施形態に係る梁の仮受け治具３１は、二股分岐状（Ｕ字状）の支持部材３２を備えるとともに、該支持部材３２の底部下面には鉛直支持架台７の頂部に着脱自在に取り付けられる基部としての基板３４を溶接等で固定してあり、支持部材３２のうち、二股分岐された一方の先端にはプレート３２を介して雌ネジ部材４を、他方の先端にはプレート３３を介して挿通部材５をそれぞれ取り付けてある。
【００４０】
鉛直支持架台７は、例えばリフォーム工事を行う居室の床（図示せず）に立設するようにすればよい。
【００４１】
雌ネジ部材４、挿通部材５、貫通ロッド６及びアーム１０については、第１実施形態と同様であるので、ここではその説明を省略する。
【００４２】
本実施形態に係る梁の仮受け治具３１を用いて梁１１の補強を行うには、まず、鉛直支持架台７を梁１１の下方に立設するとともに、支持部材３２の底部下面に固定された基板３４のボルト孔にボルト８を挿通し、該ボルトを鉛直支持架台７の頂部に螺合することで、該鉛直支持架台の頂部に支持部材３２を立設する。
【００４３】
かかる作業と相前後して、貫通ロッド６を挿通することができる程度の径をもつ挿通孔１２を梁１１に予め穿孔しておく。
【００４４】
次に、貫通ロッド６を挿通部材５に挿通した上、梁１１の挿通孔１２に通し、しかる後、アーム１０を手で持って回すことで貫通ロッド６を回転させ、該貫通ロッドの先端に形成された雄ネジ９を雌ネジ部材４に螺合する。
【００４５】
このようにすると、梁１１は、貫通ロッド６、雌ネジ部材４、挿通部材５及び支持部材３２を介して鉛直支持架台７で支持され、しっかりと仮受けされることとなるので、かかる状態で梁１１を支持していた柱（図示せず）を撤去する。なお、必要に応じて鉛直支持架台７の脚部に設けられたジャッキベースを調整すれば、仮受け高さを適正に保持することができる。
【００４６】
梁の仮受け治具３１の設置間隔は、梁１１に作用する上載荷重やスパン長にもよるが、例えば数ｍピッチで配置するようにすればよい。通常の木造住宅であれば、梁１１の中央近傍のみ、仮受けすれば足りる。
【００４７】
柱を撤去した後、梁の仮受け治具３１で仮受けした状態で梁１１を補強することになるが、かかる梁１１を補強するにあたり、該梁の下面については補強を妨げるものは何もなく、梁１１の側面でさえ、貫通ロッド６を避ければ、所望の状態に補強することが可能となる。
【００４８】
梁１１の下面への補強梁２１の取付けに関する記載については、接着剤に関する記載を含め、第１実施形態と同様であるので、ここではその説明を省略する。
【００４９】
以上説明したように、本実施形態に係る梁の仮受け治具３１によれば、仮受けされる梁１１が貫通ロッド６、雌ネジ部材４、挿通部材５、支持部材３２及び鉛直支持架台７を介してしっかりと支持されるとともに、かかる梁１１を補強するにあたり、該梁の下面については補強を妨げるものは何もなく、梁１１の側面でさえ、貫通ロッド６を避ければ、所望の状態に補強することが可能となる。
【００５０】
また、本実施形態に係る梁の仮受け治具３１によれば、二股分岐された支持部材３２で梁１１を仮受けするようにしたので、仮受け高さの調整が必要な場合であっても、鉛直支持架台７の脚部に設けられたジャッキベースを一カ所だけ調整すれば足り、第１実施形態のように、高さを揃えながら二カ所のジャッキベースをそれぞれ調整する必要がなくなる。
【００５１】
また、本実施形態に係る梁の仮受け治具３１によれば、梁１１を直接的に仮受けすることが可能となり、周囲の小梁や根太を支えることで間接的に梁を仮受けしていた従来に比べ、安全性が格段に向上する。
【００５２】
本実施形態では、基板３４を介して支持部材３２を鉛直支持架台７の頂部に着脱自在にそれぞれ取り付けるようにしたが、かかる基板３４を省略し、鉛直支持架台７に直接、支持部材３２を取り付けるようにしてもかまわない。
【００５３】
かかる変形例においては、鉛直支持架台７と、二股分岐状の支持部材３２と、該支持部材のうち、二股分岐された一方の先端に設けられた雌ネジ部材４と、他方の先端に設けられた挿通部材５と、該挿通部材に挿通される貫通ロッド６とからなり、支持部材３２の底部下面を鉛直支持架台７の頂部に固定するとともに、貫通ロッド６の先端に雌ネジ部材４に螺合される雄ネジ９を形成するとともに基端側に把持手段であるアーム１０を設けた構成となり、いわば梁の仮受け装置となる。
【図面の簡単な説明】
【００５４】
【図１】第１実施形態に係る梁の仮受け治具の分解斜視図。
【図２】第１実施形態に係る梁の仮受け治具の正面図。
【図３】第２実施形態に係る梁の仮受け治具の分解斜視図。
【符号の説明】
【００５５】
１，３１                            梁の仮受け治具
２，３                              基板（基部）
４                                  雌ネジ部材
５                                  挿通部材
６                                  貫通ロッド
７                                  鉛直支持架台
９                                  雄ネジ
１０                                アーム（把持手段）
１１                                梁
２１                                補強梁
３２                                支持部材
３４                                基板（基部）
【図１】
2005240447.tif 000003
【図２】
2005240447.tif 000004
【図３】
2005240447.tif 000005